(57)【特許請求の範囲】
【請求項１】
画像の表示を制御する制御装置と、前記制御装置の制御に基づいて画像を表示する表示装置とを備える画像表示システムであって、
前記表示装置が、
立体視画像を表示する立体視用表示領域と、平面視画像を表示する平面視用表示領域とを有し、
前記立体視用表示領域又は平面視用表示領域にて表示される医用画像データについて、立体視可能な医用画像データであるか否かの情報を含むサムネイル画像を表示し、
前記制御装置が、
前記サムネイル画像に対応する医用画像データを前記立体視用表示領域又は平面視用表示領域に表示させるための前記サムネイル画像に対するドラッグ＆ドロップ操作を受け付ける受付部と、
前記サムネイル画像に含まれる情報に基づいて、前記ドラッグ＆ドロップ操作を受け付けたサムネイル画像に対応する医用画像データが立体視可能な医用画像データであるかを判定する判定部と、
前記判定部による判定結果に応じて、前記立体視用表示領域を平面視用に切替える、又は、前記平面視用表示領域を立体視用に切替えるように制御する切替え制御部と、
前記判定部によって、前記ドラッグ＆ドロップ操作を受け付けたサムネイル画像に対応する医用画像データが立体視可能な医用画像データであると判定された場合に、前記サムネイル画像に対応する医用画像データを前記ドラッグ＆ドロップ操作された先の表示領域に合わせた立体視画像又は平面視画像で表示させ、前記判定部によって、平面視用の医用画像データであると判定され、前記ドラッグ＆ドロップ操作された先の表示領域が立体視用表示領域である場合に、前記切替え制御部によって平面視用に切替えられた前記立体視用表示領域に前記平面視用の医用画像データを表示させる表示制御部と、
を有することを特徴とする画像表示システム。
【発明の詳細な説明】
【技術分野】
【０００１】
本発明の実施形態は、画像表示システムに関する。
【背景技術】
【０００２】
従来、立体視用メガネ等の専用機器を用いて、２つの視点から撮影された２視差画像を立体視可能なモニタが実用化されている。また、近年、レンチキュラーレンズ等の光線制御子を用いて、複数の視点から撮影された多視差画像（例えば、９視差画像）を裸眼にて立体視可能なモニタが実用化されている。なお、立体視可能なモニタにて表示される２視差画像や９視差画像は、１視点から撮影された画像の奥行き情報を推定し、推定した情報を用いた画像処理により生成される場合もある。
【０００３】
一方、Ｘ線ＣＴ（Computed  Tomography）装置やＭＲＩ（Magnetic  Resonance  Imaging）装置、超音波診断装置等の医用画像診断装置では、３次元の医用画像データ（以下、ボリュームデータ）を生成可能な装置が実用化されている。従来、かかる医用画像診断装置により生成されたボリュームデータは、種々の画像処理により２次元画像とされ、汎用モニタ上にて２次元表示される。例えば、医用画像診断装置により生成されたボリュームデータは、ボリュームレンダリング処理により３次元の情報を反映した２次元画像とされ、汎用モニタ上にて２次元表示される。しかしながら、従来技術では、立体視可能な３次元の画像と、２次元画像とを状況に応じて表示することが困難であった。
【先行技術文献】
【特許文献】
【０００４】
【特許文献１】特開２００５−８６４１４号公報
【発明の概要】
【発明が解決しようとする課題】
【０００５】
本発明が解決しようとする課題は、立体視可能な３次元の画像と、２次元の画像とを状況に応じて表示することができる画像表示システムを提供することである。
【課題を解決するための手段】
【０００６】
実施形態の画像表示システムは、画像の表示を制御する制御装置と、前記制御装置の制御に基づいて画像を表示する表示装置とを備え、前記表示装置が、立体視画像を表示する立体視用表示領域と、平面視画像を表示する平面視用表示領域とを有し、前記立体視用表示領域又は平面視用表示領域にて表示される医用画像データについて、立体視可能な医用画像データであるか否かの情報を含むサムネイル画像を表示する。前記制御装置が、受付部と、判定手段と、切替制御手段と、表示制御部とを有する。受付部は、前記サムネイル画像に対応する医用画像データを前記立体視用表示領域又は平面視用表示領域に表示させるための前記サムネイル画像に対するドラッグ＆ドロップ操作を受け付ける。判定部は、前記サムネイル画像に含まれる情報に基づいて、前記ドラッグ＆ドロップ操作を受け付けたサムネイル画像に対応する医用画像データが立体視可能な医用画像データであるかを判定する。切替え制御部は、前記判定部による判定結果に応じて、前記立体視用表示領域を平面視用に切替える、又は、前記平面視用表示領域を立体視用に切替えるように制御する。表示制御部は、前記判定部によって、前記ドラッグ＆ドロップ操作を受け付けたサムネイル画像に対応する医用画像データが立体視可能な医用画像データであると判定された場合に、前記サムネイル画像に対応する医用画像データを前記ドラッグ＆ドロップ操作された先の表示領域に合わせた立体視画像又は平面視画像で表示させ、前記判定部によって、平面視用の医用画像データであると判定され、前記ドラッグ＆ドロップ操作された先の表示領域が立体視用表示領域である場合に、前記切替え制御部によって平面視用に切替えられた前記立体視用表示領域に前記平面視用の医用画像データを表示させる。
【図面の簡単な説明】
【０００７】
【図１】図１は、第１の実施形態に係る画像表示システムの構成例を説明するための図である。
【図２】図２は、２視差画像により立体表示を行なう立体表示モニタの一例を説明するための図である。
【図３】図３は、９視差画像により立体表示を行なう立体表示モニタの一例を説明するための図である。
【図４】図４は、第１の実施形態に係るワークステーションの構成例を説明するための図である。
【図５】図５は、図４に示すレンダリング処理部の構成例を説明するための図である。
【図６】図６は、第１の実施形態に係るボリュームレンダリング処理の一例を説明するための図である。
【図７】図７は、第１の実施形態に係る表示部及び制御部の構成例を説明するための図である。
【図８】図８は、第１の実施形態に係る切替え部の構成の一例を説明するための図である。
【図９】図９は、第１の実施形態に係る表示情報付与部による処理の一例を模式的に示す図である。
【図１０】図１０は、第１の実施形態に係る表示部における表示の一例を説明するための図である。
【図１１】図１１は、第１の実施形態に係る選択領域受付け部の処理の一例を説明するための図である。
【図１２】図１２は、第１の実施形態に係るワークステーションによる処理の手順を示すフローチャートである。
【図１３】図１３は、第２の実施形態に係る表示部によって表示される操作画面の第１の例を説明するための図である。
【図１４】図１４は、第２の実施形態に係る表示部によって表示される操作画面の第２の例を説明するための図である。
【図１５】図１５は、第２の実施形態に係るワークステーションによる処理の手順を示すフローチャートである。
【図１６】図１６は、第３の実施形態に係る切替え部の構成の一例を説明するための図である。
【発明を実施するための形態】
【０００８】
以下、添付図面を参照して、画像表示システム、装置、方法及び医用画像診断装置の実施形態を詳細に説明する。なお、以下では、画像表示装置としての機能を有するワークステーションを含む画像表示システムを実施形態として説明する。ここで、以下の実施形態で用いる用語について説明すると、「視差画像群」とは、ボリュームデータに対して、所定の視差角ずつ視点位置を移動させてボリュームレンダリング処理を行なうことで生成された画像群のことである。すなわち、「視差画像群」は、「視点位置」が異なる複数の「視差画像」から構成される。また、「視差角」とは、「視差画像群」を生成するために設定された各視点位置のうち隣接する視点位置とボリュームデータによって表される空間内の所定位置（例えば、空間の中心）とにより定まる角度のことである。また、「視差数」とは、立体表示モニタにて立体視されるために必要となる「視差画像」の数のことである。また、以下で記載する「９視差画像」とは、９つの「視差画像」から構成される「視差画像群」のことである。また、以下で記載する「２視差画像」とは、２つの「視差画像」から構成される「視差画像群」のことである。
【０００９】
（第１の実施形態）
まず、第１の実施形態に係る画像表示システムの構成例について説明する。図１は、第１の実施形態に係る画像表示システムの構成例を説明するための図である。
【００１０】
図１に示すように、第１の実施形態に係る画像表示システム１は、医用画像診断装置１１０と、画像保管装置１２０と、ワークステーション１３０と、端末装置１４０とを有する。図１に例示する各装置は、例えば、病院内に設置された院内ＬＡＮ（Local  Area  Network）２により、直接的、又は間接的に相互に通信可能な状態となっている。例えば、画像表示システム１にＰＡＣＳ（Picture  Archiving  and  Communication  System）が導入されている場合、各装置は、ＤＩＣＯＭ（Digital  Imaging  and  Communications  in  Medicine）規格に則って、医用画像等を相互に送受信する。
【００１１】
かかる画像表示システム１は、医用画像診断装置１１０により生成された３次元の医用画像データであるボリュームデータから視差画像群を生成し、この視差画像群を立体視可能なモニタに表示することで、病院内に勤務する医師や検査技師に立体視可能な医用画像を提供する。具体的には、第１の実施形態においては、ワークステーション１３０が、ボリュームデータに対して種々の画像処理を行ない、視差画像群を生成する。また、ワークステーション１３０及び端末装置１４０が、立体視可能なモニタを有し、ワークステーション１３０にて生成された視差画像群をこのモニタに表示する。また、画像保管装置１２０は、医用画像診断装置１１０にて生成されたボリュームデータや、ワークステーション１３０にて生成された視差画像群を保管する。すなわち、ワークステーション１３０や端末装置１４０は、この画像保管装置１２０からボリュームデータや視差画像群を取得し、これを処理したり、モニタに表示したりする。以下、各装置を順に説明する。
【００１２】
医用画像診断装置１１０は、Ｘ線診断装置、Ｘ線ＣＴ（Computed  Tomography）装置、ＭＲＩ（Magnetic  Resonance  Imaging）装置、超音波診断装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、又はこれらの装置群等である。また、第１の実施形態に係る医用画像診断装置１１０は、３次元の医用画像データ（ボリュームデータ）を生成可能である。
【００１３】
具体的には、第１の実施形態に係る医用画像診断装置１１０は、被検体を撮影することによりボリュームデータを生成する。例えば、医用画像診断装置１１０は、被検体を撮影することにより投影データやＭＲ信号等のデータを収集し、収集したデータから、被検体の体軸方向に沿った複数のアキシャル面の医用画像データを再構成することで、ボリュームデータを生成する。例えば、医用画像診断装置１１０は、５００枚のアキシャル面の医用画像データを再構成する。この５００枚のアキシャル面の医用画像データ群が、ボリュームデータである。なお、医用画像診断装置１１０により撮影された被検体の投影データやＭＲ信号等自体をボリュームデータとしても良い。
【００１４】
また、第１の実施形態に係る医用画像診断装置１１０は、生成したボリュームデータを画像保管装置１２０に送信する。なお、医用画像診断装置１１０は、ボリュームデータを画像保管装置１２０に送信する際に、付帯情報として、例えば、患者を識別する患者ＩＤ、検査を識別する検査ＩＤ、医用画像診断装置１１０を識別する装置ＩＤ、医用画像診断装置１１０による１回の撮影を識別するシリーズＩＤ等を送信する。
【００１５】
画像保管装置１２０は、医用画像を保管するデータベースである。具体的には、第１の実施形態に係る画像保管装置１２０は、医用画像診断装置１１０から送信されたボリュームデータを記憶部に格納し、これを保管する。また、第１の実施形態においては、ワークステーション１３０が、ボリュームデータから視差画像群を生成し、生成した視差画像群を画像保管装置１２０に送信する。このため、画像保管装置１２０は、ワークステーション１３０から送信された視差画像群を記憶部に格納し、これを保管する。なお、本実施形態は、大容量の画像を保管可能なワークステーション１３０を用いることで、図１に例示するワークステーション１３０と画像保管装置１２０とが統合される場合であっても良い。すなわち、本実施形態は、ワークステーション１３０そのものにボリュームデータもしくは視差画像群を記憶させる場合であっても良い。
【００１６】
なお、第１の実施形態において、画像保管装置１２０に保管されたボリュームデータや視差画像群は、患者ＩＤ、検査ＩＤ、装置ＩＤ、シリーズＩＤ等と対応付けて保管される。このため、ワークステーション１３０や端末装置１４０は、患者ＩＤ、検査ＩＤ、装置ＩＤ、シリーズＩＤ等を用いた検索を行なうことで、必要なボリュームデータや視差画像群を画像保管装置１２０から取得する。
【００１７】
ワークステーション１３０は、医用画像に対して画像処理を行なう画像処理装置である。具体的には、第１の実施形態に係るワークステーション１３０は、画像保管装置１２０から取得したボリュームデータに対して種々のレンダリング処理を行ない、視差画像群を生成する。視差画像群とは、複数の視点から撮影された複数の視差画像のことであり、例えば、９視差画像を裸眼にて立体視可能なモニタにて表示される視差画像群とは、視点位置が異なる９つの視差画像のことである。
【００１８】
また、第１の実施形態に係るワークステーション１３０は、表示部として、立体視可能なモニタ（以下、立体表示モニタ）を有する。ワークステーション１３０は、視差画像群を生成し、生成した視差画像群を立体表示モニタに表示する。この結果、ワークステーション１３０の操作者は、立体表示モニタに表示された立体視可能な医用画像を確認しながら、視差画像群生成のための操作を行なうことができる。
【００１９】
また、ワークステーション１３０は、生成した視差画像群を画像保管装置１２０に送信する。なお、ワークステーション１３０は、視差画像群を画像保管装置１２０に送信する際に、付帯情報として、例えば、患者ＩＤ、検査ＩＤ、装置ＩＤ、シリーズＩＤ等を送信する。また、視差画像群を画像保管装置１２０に送信する際に送信される付帯情報としては、視差画像群に関する付帯情報も挙げられる。視差画像群に関する付帯情報としては、視差画像の枚数（例えば、「９」）や、視差画像の解像度（例えば、「４６６×３５０画素」）等がある。
【００２０】
端末装置１４０は、病院内に勤務する医師や検査技師に医用画像を閲覧させるための装置である。例えば、端末装置１４０は、病院内に勤務する医師や検査技師により操作されるＰＣ（Personal  Computer）やタブレット式ＰＣ、ＰＤＡ（Personal  Digital  Assistant）、携帯電話等である。具体的には、第１の実施形態に係る端末装置１４０は、表示部として立体表示モニタを有する。また、端末装置１４０は、画像保管装置１２０から視差画像群を取得し、取得した視差画像群を立体表示モニタに表示する。この結果、観察者である医師や検査技師は、立体視可能な医用画像を閲覧することができる。
【００２１】
ここで、ワークステーション１３０や端末装置１４０が有する立体表示モニタについて説明する。現在最も普及している一般的な汎用モニタは、２次元画像を２次元で表示するものであり、２次元画像を立体表示することができない。仮に、観察者が汎用モニタにて立体視を要望する場合、汎用モニタに対して画像を出力する装置は、平行法や交差法により観察者が立体視可能な２視差画像を並列表示させる必要がある。又は、汎用モニタに対して画像を出力する装置は、例えば、左目用の部分に赤色のセロハンが取り付けられ、右目用の部分に青色のセロハンが取り付けられたメガネを用いて余色法により観察者が立体視可能な画像を表示する必要がある。
【００２２】
一方、立体表示モニタとしては、立体視用メガネ等の専用機器を用いることで、２視差画像（両眼視差画像とも称する）を立体視可能とするものがある。
【００２３】
図２は、２視差画像により立体表示を行なう立体表示モニタの一例を説明するための図である。図２に示す一例は、シャッター方式により立体表示を行なう立体表示モニタであり、モニタを観察する観察者が装着する立体視用メガネとしてシャッターメガネが用いられる。かかる立体表示モニタは、モニタにて２視差画像を交互に出射する。例えば、図２の（Ａ）に示すモニタは、左目用の画像と右目用の画像を、１２０Ｈｚにて交互に出射する。ここで、モニタには、図２の（Ａ）に示すように、赤外線出射部が設置され、赤外線出射部は、画像が切り替わるタイミングに合わせて赤外線の出射を制御する。
【００２４】
また、赤外線出射部から出射された赤外線は、図２の（Ａ）に示すシャッターメガネの赤外線受光部により受光される。シャッターメガネの左右それぞれの枠には、シャッターが取り付けられており、シャッターメガネは、赤外線受光部が赤外線を受光したタイミングに合わせて左右のシャッターそれぞれの透過状態及び遮光状態を交互に切り替える。以下、シャッターにおける透過状態及び遮光状態の切り替え処理について説明する。
【００２５】
各シャッターは、図２の（Ｂ）に示すように、入射側の偏光板と出射側の偏光板とを有し、更に、入射側の偏光板と出射側の偏光板との間に液晶層を有する。また、入射側の偏光板と出射側の偏光板とは、図２の（Ｂ）に示すように、互いに直交している。ここで、図２の（Ｂ）に示すように、電圧が印加されていない「ＯＦＦ」の状態では、入射側の偏光板を通った光は、液晶層の作用により９０度回転し、出射側の偏光板を透過する。すなわち、電圧が印加されていないシャッターは、透過状態となる。
【００２６】
一方、図２の（Ｂ）に示すように、電圧が印加された「ＯＮ」の状態では、液晶層の液晶分子による偏光回転作用が消失するため、入射側の偏光板を通った光は、出射側の偏光板で遮られてしまう。すなわち、電圧が印加されたシャッターは、遮光状態となる。
【００２７】
そこで、例えば、赤外線出射部は、モニタ上に左目用の画像が表示されている期間、赤外線を出射する。そして、赤外線受光部は、赤外線を受光している期間、左目のシャッターに電圧を印加せず、右目のシャッターに電圧を印加させる。これにより、図２の（Ａ）に示すように、右目のシャッターが遮光状態となり、左目のシャッターが透過状態となるため、観察者の左目に左目用の画像が入射する。一方、赤外線出射部は、モニタ上に右目用の画像が表示されている期間、赤外線の出射を停止する。そして、赤外線受光部は、赤外線が受光されない期間、右目のシャッターに電圧を印加せず、左目のシャッターに電圧を印加させる。これにより、左目のシャッターが遮光状態となり、右目のシャッターが透過状態であるため、観察者の右目に右目用の画像が入射する。このように、図２に示す立体表示モニタは、モニタに表示される画像とシャッターの状態を連動させて切り替えることで、観察者が立体視可能な画像を表示させる。なお、２視差画像を立体視可能な立体表示モニタとしては、上記のシャッター方式以外にも、偏光メガネ方式を採用したモニタも知られている。
【００２８】
更に、近年実用化された立体表示モニタとしては、レンチキュラーレンズ等の光線制御子を用いることで、例えば、９視差画像等の多視差画像を観察者が裸眼にて立体視可能とするものがある。かかる立体表示モニタは、両眼視差による立体視を可能とし、更に、観察者の視点移動に合わせて観察される映像も変化する運動視差による立体視も可能とする。
【００２９】
図３は、９視差画像により立体表示を行なう立体表示モニタの一例を説明するための図である。図３に示す立体表示モニタには、液晶パネル等の平面状の表示面２００の前面に、光線制御子が配置される。例えば、図３に示す立体表示モニタには、光線制御子として、光学開口が垂直方向に延びる垂直レンチキュラーシート２０１が表示面２００の前面に貼り付けられている。
【００３０】
表示面２００には、図３に示すように、縦横比が３：１であり、縦方向にサブ画素である赤（Ｒ）、緑（Ｇ）、青（Ｂ）の３つが配置された画素２０２がマトリクス状に配置される。図３に示す立体表示モニタは、９つの画像により構成される９視差画像を、所定フォーマット（例えば格子状）に配置した中間画像に変換したうえで、表示面２００に出力する。すなわち、図３に示す立体表示モニタは、９視差画像にて同一位置にある９つの画素それぞれを、９列の画素２０２に割り振って出力させる。９列の画素２０２は、視点位置の異なる９つの画像を同時に表示する単位画素群２０３となる。
【００３１】
表示面２００において単位画素群２０３として同時に出力された９視差画像は、例えば、ＬＥＤ（Light  Emitting  Diode）バックライトにより平行光として放射され、更に、垂直レンチキュラーシート２０１により、多方向に放射される。９視差画像の各画素の光が多方向に放射されることにより、観察者の右目及び左目に入射する光は、観察者の位置（視点の位置）に連動して変化する。すなわち、観察者の見る角度により、右目に入射する視差画像と左目に入射する視差画像とは、視差角が異なる。これにより、観察者は、例えば、図３に示す９つの位置それぞれにおいて、撮影対象を立体的に視認できる。また、観察者は、例えば、図３に示す「５」の位置において、撮影対象に対して正対した状態で立体的に視認できるとともに、図３に示す「５」以外それぞれの位置において、撮影対象の向きを変化させた状態で立体的に視認できる。なお、図３に示す立体表示モニタは、あくまでも一例である。９視差画像を表示する立体表示モニタは、図３に示すように、「ＲＲＲ・・・、ＧＧＧ・・・、ＢＢＢ・・・」の横ストライプ液晶である場合であっても良いし、「ＲＧＢＲＧＢ・・・」の縦ストライプ液晶である場合であっても良い。また、図３に示す立体表示モニタは、図３に示すように、レンチキュラーシートが垂直となる縦レンズ方式である場合であっても良いし、レンチキュラーシートが斜めとなる斜めレンズ方式である場合であっても良い。
【００３２】
ここまで、第１の実施形態に係る画像表示システム１の構成例について簡単に説明した。なお、上記した画像表示システム１は、ＰＡＣＳが導入されている場合にその適用が限られるものではない。例えば、画像表示システム１は、医用画像が添付された電子カルテを管理する電子カルテシステムが導入されている場合にも、同様に適用される。この場合、画像保管装置１２０は、電子カルテを保管するデータベースである。また、例えば、画像表示システム１は、ＨＩＳ（Hospital  Information  System）、ＲＩＳ（Radiology  Information  System）が導入されている場合にも、同様に適用される。また、画像表示システム１は、上記した構成例に限られるものではない。各装置が有する機能やその分担は、運用の形態に応じて適宜変更されてよい。
【００３３】
次に、第１の実施形態に係るワークステーションの構成例について図４を用いて説明する。図４は、第１の実施形態に係るワークステーションの構成例を説明するための図である。なお、以下において、「視差画像群」とは、ボリュームデータに対してボリュームレンダリング処理を行なうことで生成された立体視用の画像群のことである。また、「視差画像」とは、「視差画像群」を構成する個々の画像のことである。すなわち、「視差画像群」は、視点位置が異なる複数の「視差画像」から構成される。
【００３４】
第１の実施形態に係るワークステーション１３０は、画像処理等に適した高性能なコンピュータであり、図４に示すように、入力部１３１と、表示部１３２と、通信部１３３と、記憶部１３４と、制御部１３５と、レンダリング処理部１３６とを有する。なお、以下では、ワークステーション１３０が画像処理等に適した高性能なコンピュータである場合を用いて説明するが、これに限定されるものではなく、任意の情報処理装置であって良い。例えば、任意のパーソナルコンピュータであっても良い。
【００３５】
入力部１３１は、マウス、キーボード、トラックボール等であり、ワークステーション１３０に対する各種操作の入力を操作者から受け付ける。具体的には、第１の実施形態に係る入力部１３１は、レンダリング処理の対象となるボリュームデータを画像保管装置１２０から取得するための情報の入力を受け付ける。例えば、入力部１３１は、患者ＩＤ、検査ＩＤ、装置ＩＤ、シリーズＩＤ等の入力を受け付ける。また、第１の実施形態に係る入力部１３１は、レンダリング処理に関する条件（以下、レンダリング条件）の入力を受け付ける。
【００３６】
表示部１３２は、立体表示モニタとしての液晶パネル等であり、各種情報を表示する。具体的には、第１の実施形態に係る表示部１３２は、操作者から各種操作を受け付けるためのＧＵＩ（Graphical  User  Interface）や、視差画像群等を表示する。通信部１３３は、ＮＩＣ（Network  Interface  Card）等であり、他の装置との間で通信を行う。
【００３７】
記憶部１３４は、ハードディスク、半導体メモリ素子等であり、各種情報を記憶する。具体的には、第１の実施形態に係る記憶部１３４は、通信部１３３を介して画像保管装置１２０から取得したボリュームデータを記憶する。また、第１の実施形態に係る記憶部１３４は、レンダリング処理中のボリュームデータや、レンダリング処理により生成された視差画像群、及び、２次元表示用の画像等を記憶する。
【００３８】
制御部１３５は、ＣＰＵ（Central  Processing  Unit）やＭＰＵ（Micro  Processing  Unit）等の電子回路、ＡＳＩＣ（Application  Specific  Integrated  Circuit）やＦＰＧＡ（Field  Programmable  Gate  Array）等の集積回路であり、ワークステーション１３０の全体制御を行なう。
【００３９】
例えば、第１の実施形態に係る制御部１３５は、表示部１３２に対するＧＵＩの表示や視差画像群の表示を制御する。また、例えば、制御部１３５は、画像保管装置１２０との間で通信部１３３を介して行なわれるボリュームデータや視差画像群の送受信を制御する。また、例えば、制御部１３５は、レンダリング処理部１３６によるレンダリング処理を制御する。また、例えば、制御部１３５は、ボリュームデータの記憶部１３４からの読み込みや、視差画像群の記憶部１３４への格納を制御する。
【００４０】
レンダリング処理部１３６は、制御部１３５による制御の下、画像保管装置１２０から取得したボリュームデータに対して種々のレンダリング処理を行ない、視差画像群を生成する。具体的には、第１の実施形態に係るレンダリング処理部１３６は、記憶部１３４からボリュームデータを読み込み、このボリュームデータに対して、まず前処理を行なう。次に、レンダリング処理部１３６は、前処理後のボリュームデータに対してボリュームレンダリング処理を行ない、視差画像群を生成する。続いて、レンダリング処理部１３６は、各種情報（目盛り、患者名、検査項目等）が描出された２次元画像を生成し、これを視差画像群それぞれに対して重畳することで、出力用の２次元画像を生成する。そして、レンダリング処理部１３６は、生成した視差画像群や出力用の２次元画像を記憶部１３４に格納する。なお、第１の実施形態において、レンダリング処理とは、ボリュームデータに対して行なう画像処理全体のことであり、ボリュームレンダリング処理とは、レンダリング処理の内、３次元の情報を反映した２次元画像を生成する処理のことである。レンダリング処理により生成される医用画像とは、例えば、視差画像が該当する。
【００４１】
図５は、図４に示すレンダリング処理部の構成例を説明するための図である。図５に示すように、レンダリング処理部１３６は、前処理部１３６１と、３次元画像処理部１３６２と、２次元画像処理部１３６３とを有する。前処理部１３６１が、ボリュームデータに対する前処理を行い、３次元画像処理部１３６２が、前処理後のボリュームデータから視差画像群を生成し、２次元画像処理部１３６３が、視差画像群に各種情報が重畳された出力用の２次元画像を生成する。以下、各部を順に説明する。
【００４２】
前処理部１３６１は、ボリュームデータに対してレンダリング処理を行なう際に、種々の前処理を行なう処理部であり、画像補正処理部１３６１ａと、３次元物体フュージョン部１３６１ｅと、３次元物体表示領域設定部１３６１ｆとを有する。
【００４３】
画像補正処理部１３６１ａは、２種類のボリュームデータを１つのボリュームデータとして処理する際に画像補正処理を行なう処理部であり、図５に示すように、歪み補正処理部１３６１ｂ、体動補正処理部１３６１ｃ及び画像間位置合わせ処理部１３６１ｄを有する。例えば、画像補正処理部１３６１ａは、ＰＥＴ−ＣＴ装置により生成されたＰＥＴ画像のボリュームデータとＸ線ＣＴ画像のボリュームデータとを１つのボリュームデータとして処理する際に画像補正処理を行なう。或いは、画像補正処理部１３６１ａは、ＭＲＩ装置により生成されたＴ１強調画像のボリュームデータとＴ２強調画像のボリュームデータとを１つのボリュームデータとして処理する際に画像補正処理を行なう。
【００４４】
また、歪み補正処理部１３６１ｂは、個々のボリュームデータにおいて、医用画像診断装置１１０によるデータ収集時の収集条件に起因するデータの歪みを補正する。また、体動補正処理部１３６１ｃは、個々のボリュームデータを生成するために用いられたデータの収集時期における被検体の体動に起因する移動を補正する。また、画像間位置合わせ処理部１３６１ｄは、歪み補正処理部１３６１ｂ及び体動補正処理部１３６１ｃによる補正処理が行なわれた２つのボリュームデータ間で、例えば、相互相関法等を用いた位置合わせ（Registration）を行なう。
【００４５】
３次元物体フュージョン部１３６３ｅは、画像間位置合わせ処理部１３６１ｄにより位置合わせが行なわれた複数のボリュームデータをフュージョンさせる。なお、画像補正処理部１３６１ａ及び３次元物体フュージョン部１３６１ｅの処理は、単一のボリュームデータに対してレンダリング処理を行なう場合、省略される。
【００４６】
３次元物体表示領域設定部１３６１ｆは、操作者により指定された表示対象臓器に対応する表示領域を設定する処理部であり、セグメンテーション処理部１３６１ｇを有する。セグメンテーション処理部１３６１ｇは、操作者により指定された心臓、肺、血管等の臓器を、例えば、ボリュームデータの画素値（ボクセル値）に基づく領域拡張法により抽出する処理部である。
【００４７】
なお、セグメンテーション処理部１３６１ｇは、操作者により表示対象臓器が指定されなかった場合、セグメンテーション処理を行なわない。また、セグメンテーション処理部１３６１ｇは、操作者により表示対象臓器が複数指定された場合、該当する複数の臓器を抽出する。また、セグメンテーション処理部１３６１ｇの処理は、レンダリング画像を参照した操作者の微調整要求により再度実行される場合もある。
【００４８】
３次元画像処理部１３６２は、前処理部１３６１が処理を行なった前処理後のボリュームデータに対してボリュームレンダリング処理を行なう。ボリュームレンダリング処理を行なう処理部として、３次元画像処理部１３６２は、投影方法設定部１３６２ａと、３次元幾何変換処理部１３６２ｂと、３次元物体アピアランス処理部１３６２ｆと、３次元仮想空間レンダリング部１３６２ｋとを有する。
【００４９】
投影方法設定部１３６２ａは、視差画像群を生成するための投影方法を決定する。例えば、投影方法設定部１３６２ａは、ボリュームレンダリング処理を平行投影法により実行するか、透視投影法により実行するかを決定する。
【００５０】
３次元幾何変換処理部１３６２ｂは、ボリュームレンダリング処理が実行されるボリュームデータを３次元幾何学的に変換するための情報を決定する処理部であり、平行移動処理部１３６２ｃ、回転処理部１３６２ｄ及び拡大縮小処理部１３６２ｅを有する。平行移動処理部１３６２ｃは、ボリュームレンダリング処理を行なう際の視点位置が平行移動された場合に、ボリュームデータを平行移動させる移動量を決定する処理部であり、回転処理部１３６２ｄは、ボリュームレンダリング処理を行なう際の視点位置が回転移動された場合に、ボリュームデータを回転移動させる移動量を決定する処理部である。また、拡大縮小処理部１３６２ｅは、視差画像群の拡大や縮小が要求された場合に、ボリュームデータの拡大率や縮小率を決定する処理部である。
【００５１】
３次元物体アピアランス処理部１３６２ｆは、３次元物体色彩度処理部１３６２ｇ、３次元物体不透明度処理部１３６２ｈ、３次元物体材質処理部１３６２ｉ及び３次元仮想空間光源処理部１３６２ｊを有する。３次元物体アピアランス処理部１３６２ｆは、これらの処理部により、例えば、操作者の要求に応じて、表示される視差画像群の表示状態を決定する処理を行なう。
【００５２】
３次元物体色彩度処理部１３６２ｇは、ボリュームデータにてセグメンテーションされた各領域に対して着色される色彩を決定する処理部である。３次元物体不透明度処理部１３６２ｈは、ボリュームデータにてセグメンテーションされた各領域を構成する各ボクセルの不透過度（Opacity）を決定する処理部である。なお、ボリュームデータにおいて不透過度が「１００％」とされた領域の後方の領域は、視差画像群において描出されないこととなる。また、ボリュームデータにおいて不透過度が「０％」とされた領域は、視差画像群において描出されないこととなる。
【００５３】
３次元物体材質処理部１３６２ｉは、ボリュームデータにてセグメンテーションされた各領域の材質を決定することで、この領域が描出される際の質感を調整する処理部である。３次元仮想空間光源処理部１３６２ｊは、ボリュームデータに対してボリュームレンダリング処理を行なう際に、３次元仮想空間に設置する仮想光源の位置や、仮想光源の種類を決定する処理部である。仮想光源の種類としては、無限遠から平行な光線を照射する光源や、視点から放射状の光線を照射する光源等が挙げられる。
【００５４】
３次元仮想空間レンダリング部１３６２ｋは、ボリュームデータに対してボリュームレンダリング処理を行ない、視差画像群を生成する。また、３次元仮想空間レンダリング部１３６２ｋは、ボリュームレンダリング処理を行なう際、必要に応じて、投影方法設定部１３６２ａ、３次元幾何変換処理部１３６２ｂ、３次元物体アピアランス処理部１３６２ｆにより決定された各種情報を用いる。
【００５５】
ここで、３次元仮想空間レンダリング部１３６２ｋによるボリュームレンダリング処理は、レンダリング条件に従って行なわれることになる。例えば、レンダリング条件は、「平行投影法」又は「透視投影法」である。また、例えば、レンダリング条件は、「基準の視点位置及び視差角」である。また、例えば、レンダリング条件は、「視点位置の平行移動」、「視点位置の回転移動」、「視差画像群の拡大」、「視差画像群の縮小」である。また、例えば、レンダリング条件は、「着色される色彩」、「透過度」、「質感」、「仮想光源の位置」、「仮想光源の種類」である。このようなレンダリング条件は、入力部１３１を介して操作者から受け付ける場合や、初期設定される場合が考えられる。いずれの場合も、３次元仮想空間レンダリング部１３６２ｋは、制御部１３５からレンダリング条件を受け付け、このレンダリング条件に従って、ボリュームデータに対するボリュームレンダリング処理を行なう。また、このとき、上記した投影方法設定部１３６２ａ、３次元幾何変換処理部１３６２ｂ、３次元物体アピアランス処理部１３６２ｆが、このレンダリング条件に従って必要な各種情報を決定するので、３次元仮想空間レンダリング部１３６２ｋは、決定されたこれらの各種情報を用いて視差画像群を生成する。
【００５６】
図６は、第１の実施形態に係るボリュームレンダリング処理の一例を説明するための図である。例えば、３次元仮想空間レンダリング部１３６２ｋが、図６の「９視差画像生成方式（１）」に示すように、レンダリング条件として、平行投影法を受け付け、更に、基準の視点位置（５）と視差角「１度」とを受け付けたとする。かかる場合、３次元仮想空間レンダリング部１３６２ｋは、視差角が「１度」おきとなるように、視点の位置を（１）〜（９）に平行移動して、平行投影法により視差角（視線方向間の角度）が１度ずつ異なる９つの視差画像を生成する。なお、平行投影法を行なう場合、３次元仮想空間レンダリング部１３６２ｋは、視線方向に沿って無限遠から平行な光線を照射する光源を設定する。
【００５７】
或いは、３次元仮想空間レンダリング部１３６２ｋが、図６の「９視差画像生成方式（２）」に示すように、レンダリング条件として、透視投影法を受け付け、更に、基準の視点位置（５）と視差角「１度」とを受け付けたとする。かかる場合、３次元仮想空間レンダリング部１３６２ｋは、ボリュームデータの中心（重心）を中心に視差角が「１度」おきとなるように、視点の位置を（１）〜（９）に回転移動して、透視投影法により視差角が１度ずつ異なる９つの視差画像を生成する。なお、透視投影法を行なう場合、３次元仮想空間レンダリング部１３６２ｋは、視線方向を中心に光を３次元的に放射状に照射する点光源や面光源を各視点にて設定する。また、透視投影法を行なう場合、レンダリング条件によっては、視点（１）〜（９）は、平行移動される場合であってもよい。
【００５８】
なお、３次元仮想空間レンダリング部１３６２ｋは、表示されるボリュームレンダリング画像の縦方向に対しては、視線方向を中心に光を２次元的に放射状に照射し、表示されるボリュームレンダリング画像の横方向に対しては、視線方向に沿って無限遠から平行な光線を照射する光源を設定することで、平行投影法と透視投影法とを併用したボリュームレンダリング処理を行なってもよい。
【００５９】
このようにして生成された９つの視差画像が、視差画像群である。第１の実施形態において、９つの視差画像は、例えば制御部１３５により所定フォーマット（例えば格子状）に配置した中間画像に変換され、立体表示モニタとしての表示部１３２に出力される。すると、ワークステーション１３０の操作者は、立体表示モニタに表示された立体視可能な医用画像を確認しながら、視差画像群生成のための操作を行なうことができる。
【００６０】
なお、図６の例では、レンダリング条件として、投影方法、基準の視点位置及び視差角を受け付けた場合を説明したが、レンダリング条件として、他の条件を受け付けた場合も同様に、３次元仮想空間レンダリング部１３６２ｋは、それぞれのレンダリング条件を反映しつつ、視差画像群を生成する。
【００６１】
また、３次元仮想空間レンダリング部１３６２ｋは、ボリュームレンダリングだけでなく、任意の平面（例えば、アキシャル面、サジタル面、コロナル面など）の平面画像を再構成する。例えば、３次元仮想空間レンダリング部１３６２ｋは、断面再構成法（ＭＰＲ：Multi  Planer  Reconstruction）を行なってボリュームデータからＭＰＲ画像を再構成する。なお、３次元仮想空間レンダリング部１３６２ｋは、「Curved  MPR」を行なう機能や、「Intensity  Projection」を行なう機能も有する。
【００６２】
続いて、３次元画像処理部１３６２がボリュームデータから生成した視差画像群は、アンダーレイ（Underlay）とされる。そして、各種情報（目盛り、患者名、検査項目等）が描出されたオーバーレイ（Overlay）がアンダーレイに対して重畳されることで、出力用の２次元画像とされる。２次元画像処理部１３６３は、オーバーレイ及びアンダーレイに対して画像処理を行なうことで、出力用の２次元画像を生成する処理部であり、図５に示すように、２次元物体描画部１３６３ａ、２次元幾何変換処理部１３６３ｂ及び輝度調整部１３６３ｃを有する。例えば、２次元画像処理部１３６３は、出力用の２次元画像の生成処理に要する負荷を軽減するために、９枚の視差画像（アンダーレイ）のそれぞれに対して１枚のオーバーレイを重畳することで、出力用の２次元画像を９枚、生成する。
【００６３】
２次元物体描画部１３６３ａは、オーバーレイに描出される各種情報を描画する処理部であり、２次元幾何変換処理部１３６３ｂは、オーバーレイに描出される各種情報の位置を平行移動処理又は回転移動処理したり、オーバーレイに描出される各種情報の拡大処理又は縮小処理したりする処理部である。
【００６４】
また、輝度調整部１３６３ｃは、輝度変換処理を行なう処理部であり、例えば、出力先の立体表示モニタの諧調や、ウィンドウ幅（ＷＷ：Window  Width）、ウィンドウレベル（ＷＬ：Window  Level）等の画像処理用のパラメータに応じて、オーバーレイ及びアンダーレイの輝度を調整する処理部である。
【００６５】
このようにして生成された出力用の２次元画像は、例えば制御部１３５により一旦記憶部１３４に格納され、その後、通信部１３３を介して画像保管装置１２０に送信される。例えば、端末装置１４０が、画像保管装置１２０からこの出力用の２次元画像を取得し、所定フォーマット（例えば格子状）に配置した中間画像に変換した上で立体表示モニタに表示すると、観察者である医師や検査技師は、各種情報（目盛り、患者名、検査項目等）が描出された状態で、立体視可能な医用画像を閲覧することができる。
【００６６】
以上、第１の実施形態に係る画像表示システム１及びワークステーション１３０の構成について説明した。かかる構成のもと、第１の実施形態に係るワークステーション１３０は、以下、詳細に説明する制御部１３５及び表示部１３２の処理により、立体視可能な３次元の画像と、２次元の画像とを状況に応じて表示することが可能となるように構成されている。具体的には、第１の実施形態に係るワークステーション１３０は、画像が再構成された際の情報（例えば、立体視可能な３次元の画像として再構成が行われた旨の情報）や、操作者が所望する表示方法に応じて、３次元の画像と２次元の画像とを切替えて表示する。なお、以下では、まず、画像が再構成された際の情報を用いて切替える場合について説明した後、操作者が所望する表示方法に応じて切替える場合について説明する。また、以下では、立体視可能な３次元の画像を立体視画像、２次元の画像を平面画像と記す場合がある。
【００６７】
まず、画像が再構成された際の情報を用いて３次元の画像と２次元の画像とを切替えて表示する場合について説明する。図７は、第１の実施形態に係る表示部１３２及び制御部１３５の構成例を説明するための図である。図７に示すように、表示部１３２は、切替え部１３２１を有する。また、図７に示すように、制御部１３５は、表示情報付与部１３５１と、切替え制御部１３５２と、表示制御部１３５３と、選択領域受付け部１３５４とを有する。
切替え部１３２１は、後述する切替え制御部１３５２の制御に応じて、表示部１３２を立体視用又は平面視用に切替える。具体的には、切替え部１３２１は、表示面に設けられたレンチキュラーレンズ層により与えられる光の指向性を増減させることにより、表示部１３２を立体視用又は平面視用に切替える。
【００６８】
図８は、第１の実施形態に係る切替え部１３２１の構成の一例を説明するための図である。例えば、切替え部１３２１は、図８に示すように、光（画像）を出力させる液晶２１０の表示面２００に液晶レンズ部４００として設けられ、レンチキュラーレンズ層により与えられる光の指向性を増減させることで、表示部１３２を立体視用又は平面視用に切替える。液晶レンズ部４００は、図８に示すように、レンチキュラーレンズ層４１０と、液晶部４２０とを有し、液晶部４２０がレンチキュラーレンズ層４１０と表示面２００とによって挟まれるように表示面２００に設置される。
【００６９】
レンチキュラーレンズ層４１０は、レンズ形状のレンチキュラーレンズを有する。そして、レンチキュラーレンズ層４１０は、一般的な樹脂によって形成されるレンズ上部（レンチキュラーレンズの上側部分）と液晶が固化された状態で封入されているレンズ下部（レンチキュラーレンズの下側の空壁部分）とを有する。ここで、レンチキュラーレンズ層４１０のレンズ下部には、ナノレベルの線状構造で特定方向に整列された液晶が封入される。例えば、図８に示すように、レンズ下部の液晶４１１は、半円柱状のレンチキュラーレンズの円柱方向にナノレベルの線状構造をとり、複数の線状構造が縦方向（図８の上下方向）に整列されるように封入される。
【００７０】
液晶部４２０は、図８に示すように、液晶が電極基板４２１に挟まれて形成される。ここで、図８の４２２及び４２３は、電極基板４２１に挟まれた液晶に表示面２００の方向から入射された光の偏光方向を示す。具体的には、図８の４２２は、電圧が印加された状態の液晶に光が入射することで、光の偏光方向に変化がない様子を示す。一方、図８の４２３は、電圧が印加されていない状態の液晶に光が入射することで、光の偏光方向が９０度回転した様子を示す。
【００７１】
切替え部１３２１は、図８に示す電極基板４２１から印加される電圧を制御して、レンチキュラーレンズ層により与えられる光の指向性を増減させることで、表示部１３２を平面視用又は立体視用に切替える。例えば、後述する切替え制御部１２５２から平面視用に切替えるように制御された場合には、切替え部１３２１は、電圧基板に電圧を印加させる。すなわち、表示面２００から入射される光の偏光方向は、図８の４２２に示すように、変化せず、縦方向の状態でレンズに入射されることとなり、レンズ内の液晶４１１の整列方向である縦方向と等しくなる。その結果、光の進行速度が変化せず、レンズ下部とレンズ上部との間で屈折率に差がなくなり、光が直進するようになる。すなわち、切替え部１３２１は、電圧基板に電圧を印加させることで、光の指向性を減少させた平面視用の表示部１３２に切替える。
【００７２】
そして、例えば、後述する切替え制御部１２５２から立体視用に切替えるように制御された場合には、切替え部１３２１は、電圧基板に対する電圧の印加を停止させる。すなわち、表示面２００から入射される光の偏光方向は、図８の４２３に示すように、９０度回転（横方向に変化）した状態でレンズに入射されることとなり、レンズ内の液晶４１１の整列方向である縦方向と直交するようになる。その結果、光の進行速度が低下し、レンズ下部とレンズ上部との間で屈折率に差が生じ、光が屈折するようになる。すなわち、切替え部１３２１は、電圧基板に対する電圧の印加を停止することで、光の指向性を増加させた立体視用の表示部１３２に切替える。
【００７３】
図７に戻って、表示情報付与部１３５１は、立体視用の画像及び平面視用の画像に、それぞれ立体視用及び平面視用を特定するための情報を付与する。具体的には、表示情報付与部１３５１は、医用画像診装置１１０によって生成されたボリュームデータ、或いは、レンダリング処理部１３６によって生成された視差画像群に対して、表示情報として立体視用の画像であることを示す表示情報を付与する。また、表示情報付与部１３５１は、レンダリング処理部１３６によって生成された平面画像に対して、表示情報として平面視用の画像であることを示す表示情報を付与する。
【００７４】
図９は、第１の実施形態に係る表示情報付与部１３５１による処理の一例を模式的に示す図である。図９に示すように、表示情報付与部１３５１は、立体視用の画像に対して、表示情報「立体視用画像データ」を付与する。ここで、表示情報「立体視用画像データ」を付与する３次元データは、ボリュームデータに付与する場合であってもよいし、レンダリング処理部１３６によってボリュームデータから生成された視差画像群であってもよい。また、表示情報付与部１３５１は、レンダリング処理部１３６によって再構成された平面視用の画像に対して、表示情報「平面視用画像データ」を付与する。そして、表示情報付与部１３５１は、表示情報を付与した画像データを記憶部１３４に格納する。表示情報の付与の方法としては、例えば、立体視用及び平面視用を特定するための情報を、付帯情報としてＤＩＣＯＭのタグに付与する方法が挙げられる。
【００７５】
切替え制御部１３５２は、画像の情報に基づいて、表示部１３２に表示させる画像が立体視用の画像であるか又は平面視用の画像であるかを判定し、判定結果に応じて、表示部１３２を立体視用又は平面視用に切替えるように制御する。具体的には、切替え制御部１３５２は、表示情報付与部１３５１によって付与された識別子に基づいて、表示部１３２を立体視用又は平面視用に切替えるように切替え部１３２１を制御する。より具体的には、切替え制御部１３５２は、記憶部１３４によって記憶された画像データが読み出される場合に、読み出し要求の対象となる画像データに付与された表示情報に基づいて、表示部１３２を立体視用又は平面視用に切替えるように切替え部１３２１を制御する。例えば、切替え制御部１３５２は、切替え部１３２１における電圧の印加を制御することで、レンチキュラーレンズ層により与えられる光の指向性を増減させ、表示部１３２を立体視用又は平面視用に切替える。
【００７６】
例えば、表示の対象となる画像データに付与された表示情報が平面視用であった場合には、切替え制御部１３５２は、電圧基板に電圧を印加させるように切替え部１３２１を制御する。また、例えば、表示の対象となる画像データに付与された表示情報が立体視用であった場合には、切替え制御部１３５２は、電圧基板に対する電圧の印加を停止させるように切替え部１３２１を制御する。
【００７７】
表示制御部１３５３は、立体視用の画像データ及び平面視用の画像データを表示部１３２に表示させるように制御する。具体的には、表示制御部１３５３は、入力部１３１を介して操作者から表示の要求を受付けた画像を表示部１３２に表示させる。例えば、表示制御部１３５３は、切替え部１３２１によって、立体視用に切替えられた表示部１３２に視差画像群を表示させることにより、立体視画像を表示させる。また、表示制御部１３５３は、切替え部１３２１によって、平面視用に切替えられた表示部１３２に平面画像を表示させる。
【００７８】
ここで、第１の実施形態に係る表示部１３２においては、同一画面上に立体視画像と平面画像とを表示させることも可能である。図１０は、第１の実施形態に係る表示部１３２における表示の一例を説明するための図である。例えば、図１０の（Ａ）に示すように、表示情報としてデータセット「患者リスト  東芝太郎  撮影１：立体視用画像データ  撮影２：平面視用画像データ」が付加されている場合には、表示部１３２は、図１０の（Ｂ）に示すように、立体視用表示領域及び平面視用表示領域において、それぞれ立体視画像と平面画像とを表示する。かかる場合には、切替え制御部１３５２は、立体視用表示領域に対応する電極基板に対して電圧を印加しないように切替え部１３２１を制御し、平面視用表示領域に対応する電極基板に対して電圧を印加するように切替え部１３２１を制御する。そして、表示制御部１３５３は、立体視用表示領域に「撮影１：立体視用画像データ」を表示させ、平面視用表示領域に「撮影２：平面視用画像データ」を表示させる。
【００７９】
次に、操作者が所望する表示方法に応じて３次元の画像と２次元の画像とを切替えて表示する場合について説明する。図７に戻って、選択領域受付け部１３５４は、表示部１３２によって表示されている立体視用の画像又は平面視用の画像における任意の領域の設定を受け付ける。具体的には、選択領域受付け部１３５４は、表示部１３２によって表示された立体視用の画像又は平面視用の画像に対して、操作者によって設定される領域に関する情報を受付ける。図１１は、第１の実施形態に係る選択領域受付け部１３５４の処理の一例を説明するための図である。例えば、選択領域受付け部１３５４は、図１１に示すように、立体視用表示領域に対して設定された選択領域に関する情報を受付ける。一例を挙げると、選択領域受付け部１３５４は、選択領域に関する情報として、選択領域に対応する位置の電極基板の情報と、選択領域内に表示されている立体視画像の座標情報とを受付ける。なお、選択領域受付け部１３５４によって受付けられる選択領域の設定は、マウスなどの任意のポインティングデバイスを用いて実行される。
【００８０】
選択領域受付け部１３５４によって選択領域に関する情報が受付けられると、切替え制御部１３５２は、選択領域に対応する位置の電極基板に対する電圧の印加の有無を制御する。例えば、図１１に示すように、立体視用表示領域に対して選択領域が設定されると、当該選択領域に対応する位置の電極基板に対して電圧を印加させるように切替え部１３２１を制御する。
【００８１】
また、選択領域受付け部１３５４によって選択領域に関する情報が受付けられると、表示制御部１３５３は、選択領域内に表示されている立体視画像の座標情報に基づいて、当該座標に相当する位置の平面画像を表示させる。例えば、表示制御部１３５３は、選択領域内に表示されている立体視画像の座標に相当する位置の平面画像を当該選択領域に表示させる。
【００８２】
ここで、切替え制御部１３５２は、選択領域受付け部１３５４によって受付けられた選択領域を平面視用に切替える場合に、当該選択領域の大きさを変更することが可能である。また、表示制御部１３５３は、切替え制御部１３５２によって変更された任意の領域の大きさに応じて、平面視用の画像の大きさを変更して表示させることも可能である。例えば、切替え制御部１３５２は、図１１に示す選択領域よりも大きな領域に対応する電極基板に対して電圧を印加するように切替え部１３２１を制御して、選択領域よりも大きな領域を表示領域として平面視用に切替える。そして、表示制御部１３５３は、切替え制御部１３５２によって平面視用に切替えられた表示領域に合わせて平面画像を拡大して表示させる。
【００８３】
なお、表示制御部１３５３は、選択領域の大きさを変化しなかった場合にも、平面画像を拡大して表示させることも可能である。また、選択領域内に表示させる平面画像は、既に再構成された断面画像やＭＰＲ画像を用いる場合であってもよいし、選択領域が設定された後に新たに再構成する場合であってもよい。また、上記した例では、立体視用表示領域に選択領域が設定され、平面画像を表示する場合について説明したが、開示の技術はこれに限定されるものではなく、平面視用表示領域に選択領域が設定され、立体視画像を表示する場合であってもよい。
【００８４】
次に、図１２を用いて、第１の実施形態に係るワークステーション１３０の処理について説明する。図１２は、第１の実施形態に係るワークステーション１３０による処理の手順を示すフローチャートである。図１２に示すように、第１の実施形態に係るワークステーション１３０においては、レンダリング処理部１３６によって画像データが生成されると（ステップＳ１０１肯定）、表示情報付与部１３５１は、生成された画像データに対して表示情報を付与して記憶部１３４に格納する（ステップＳ１０２）。
【００８５】
そして、画像データの読み出し要求を受付けると（ステップＳ１０３肯定）、切替え制御部１３５２は、読み出し要求を受付けた画像データに付与された表示情報に基づいてレンチキュラーレンズ層を変化させる（ステップＳ１０４）。具体的には、切替え制御部１３５２は、画像データに付与された表示情報が立体視用である場合には、レンチキュラーレンズ層をレンズ形状に変化させるように切替え部１３２１を制御し、画像データに付与された表示情報が平面視用である場合には、レンチキュラーレンズ層を平面形状に変化させるように切替え部１３２１を制御する。
【００８６】
続いて、表示制御部１３５３は、読み出し要求を受付けた画像を表示部１３２に表示させる（ステップＳ１０５）。そして、選択領域受付け部１３５４が、選択領域を受付けた場合には（ステップＳ１０６肯定）、ステップＳ１０４に戻って、切替え制御部１３５２が、現時点で表示部１３２によって表示されている画像データの表示情報に基づいて、レンチキュラーレンズ層を変化させるように切替え部１３２１を制御する。一方、選択領域を受け付けていない場合には（ステップＳ１０６否定）、ワークステーション１３０は処理を終了する。
【００８７】
上記したように、第１の実施形態によれば、切替え制御部１３５２は、画像の情報に基づいて、表示部１３２に表示させる画像が立体視用の画像であるか又は平面視用の画像であるかを判定し、判定結果に応じて、表示部１３２を立体視用又は平面視用に切替えるように制御する。そして、切替え部１３２１は、切替え制御部１３５２の制御に応じて、表示部１３２を立体視用又は平面視用に切替える。従って、第１の実施形態に係るワークステーション１３０は、立体視可能な３次元の画像と、２次元の画像とを状況に応じて表示することを可能にする。
【００８８】
また、第１の実施形態によれば、表示情報付与部１３５１は、医用画像診断装置１１０によって生成されたボリュームデータ、レンダリング処理部１３６によって生成された立体視用の画像及び平面視用の画像に、立体視用及び平面視用を特定するための情報を付与する。そして、切替え制御部１３５２は、情報付与手段によって付与された情報に基づいて、表示部１３２を立体視用又は平面視用に切替えるように切替え部１３２１を制御する。従って、第１の実施形態に係るワークステーション１３０は、立体視用の画像及び平面視用の画像の表示を自動で切替えることができ、立体視可能な３次元の画像と、２次元の画像とを状況に応じて表示することを可能にする。
【００８９】
例えば、第１の実施形態に係るワークステーション１３０においては、操作者が表示させたい臨床データが立体視用の画像データなのか、平面視用の画像データが分からない場合であっても、画像データを選択するだけで自動的に立体視画像又は平面画像を表示させることが可能である。
【００９０】
また、第１の実施形態によれば、選択領域受付け部１３５４は、表示部１３２によって表示されている立体視用の画像又は平面視用の画像における任意の領域の設定を受け付ける。そして、切替え制御部１３５２は、表示部１３２において、選択領域受付け部１３５４によって受付けられた任意の領域に相当する表示領域を立体視用又は平面視用に切替えるように切替え部１３２１を制御する。従って、第１の実施形態に係るワークステーション１３０は、操作者が所望する領域内に立体視可能な３次元の画像又は２次元の画像を表示させることを可能にする。
【００９１】
また、第１の実施形態によれば、切替え制御部１３５２は、選択領域受付け部１３５４によって受付けられた任意の領域に相当する表示領域を平面視用に切替える場合に、当該任意の領域の大きさを変更する。また、表示制御部１３５３は、切替え制御部１３５２によって変更された任意の領域の大きさに応じて、平面視用の画像の大きさを変更して表示させる。従って、第１の実施形態に係るワークステーション１３０は、立体視用の画像から平面視用の画像に切替える場合に表示される画像を調整することができ、操作者に対して観察しやすい画像を表示させることを可能にする。例えば、９視差のモニタに平面画像を単純に表示させた場合には、画像の大きさが９分の１になってしまい、観察することが困難になる。第１の実施形態に係るワークステーション１３０は、このような場合にも観察に最適な平面画像を表示させることが可能である。
【００９２】
また、第１の実施形態によれば、表示部１３２は、立体視用の画像又は平面視用の画像を表示する表示面にレンチキュラーレンズ層を有する。そして、切替え部１３２１は、表示部１３２の表示面に設けられたレンチキュラーレンズ層により与えられる光の指向性を増減させることにより、表示部１３２を立体視用又は平面視用に切替える。従って、第１の実施形態に係るワークステーション１３０は、既存の技術を利用して立体視用の画像及び平面視用の画像の表示を自動で切替えることができ、立体視可能な３次元の画像と、２次元の画像との状況に応じた表示を容易に実現することを可能にする。
【００９３】
（第２の実施形態）
第２の実施形態では、操作者が、２次元／３次元のアイコンを利用した操作画面を介して各種入力処理を実行し、それに応じて表示部１３２を立体視用又は平面視用に切替える例について説明する。
【００９４】
図１３は、第２の実施形態に係る表示部１３２によって表示される操作画面の第１の例を説明するための図である。例えば、表示部１３２は、図１３に示すように、表示領域Ａ、表示領域Ｂ、表示領域Ｃ、及びサムネイル領域を含む操作画面を表示する。ここで、図１３に示す５つのサムネイルアイコンは、記憶部１３４によって記憶された５種類の医用画像データのサムネイルアイコンを示す。そして、図１３のサムネイルアイコンは、それぞれの医用画像データが立体視可能な画像として表示できるデータか否かを示す。
【００９５】
例えば、図１３のサムネイルアイコンのうち、立体的に表示されたサムネイルアイコンは、記憶部１３４によって記憶された医用画像データがボリュームデータであり、当該ボリュームデータに立体視用の画像であることを示す表示情報が付与されていることを示す。また、例えば、図１３のサムネイルアイコンのうち、複数枚の画像が重ねて表示されたサムネイルアイコンは、記憶部１３４によって記憶された医用画像データが視差画像群（例えば、９視差画像）であり、当該視差画像群に立体視用の画像であることを示す表示情報が付与されていることを示す。また、例えば、図１３のサムネイルアイコンのうち、平面的に表示されたサムネイルアイコンは、記憶部１３４によって記憶された医用画像データが２次元画像であり、当該２次元画像に平面視用の画像であることを示す表示情報が付与されていることを示す。
【００９６】
そして、図１３に示す表示領域Ａ〜Ｃは、サムネイル領域に表示されたサムネイルアイコンから操作者によって選択されたサムネイルアイコンの医用画像データを表示する領域を示す。例えば、操作者は、マウスを用いて、サムネイル領域に表示された５つのサムネイル画像のいずれかを表示領域Ａ〜Ｃにドラッグ＆ドロップ  （drag  and  drop）することで、表示領域Ａ〜Ｃに画像を表示させる。
【００９７】
一例を挙げると、操作者が、立体的に表示されたサムネイルアイコン、或いは、複数枚の画像が重ねて表示されたサムネイルアイコンを表示領域Ａにドラッグ＆ドロップすると、切替え制御部１３５２は、表示領域Ａに対応する位置の電極基板に対して電圧を印加しないように切替え部１３２１を制御することで、表示領域Ａを立体視用の表示領域に切替える。一方、操作者が、平面的に表示されたサムネイルアイコンを表示領域Ｂにドラッグ＆ドロップすると、切替え制御部１３５２は、表示領域Ｂに対応する位置の電極基板に対して電圧を印加するように切替え部１３２１を制御することで、表示領域Ｂを平面視用の表示領域に切替える。
【００９８】
さらに、図１３に示された操作画面では、表示領域に表示された立体視画像を平面視画像に切替えるための操作も行うことが可能である。図１４は、第２の実施形態に係る表示部１３２によって表示される操作画面の第２の例を説明するための図である。ここで、図１４は、図１３に示す操作画面において、立体的に表示されたサムネイルアイコンが表示領域Ａにドラッグ＆ドロップされた後の操作について示す。
【００９９】
例えば、操作者は、表示領域Ａに示された立体視画像上で右クリックすると、表示制御部１３５３は、図１４に示すように、「Ａｘｉａｌ（アキシャル）」と、「Ｓａｇｉ（サジタル：Sagittal）」と、「Ｃｏｌ（コロナル：coronal）」とを含む「２Ｄ（dimensions：次元）」の選択項目と、「３Ｄ」の選択項目とを表示する。操作者は、操作画面に表示された選択項目から所望する項目を選択する。例えば、操作者が、「２Ｄ」の「Ａｘｉａｌ」を選択すると、レンダリング処理部１３６は、記憶部１３４から該当するボリュームデータを読み出し、読み出したボリュームデータからアキシャル面の２次元画像（例えば、ＭＰＲ画像）を生成する。
【０１００】
同時に、切替え制御部１３５２は、表示領域Ａを平面視用に切替えるように、切替え部１３２１を制御する。そして、表示制御部１３５３は、レンダリング処理部１３６によって生成された２次元画像を平面視用に切替えられた表示領域Ａに表示させる。上記したように、記憶部１３４にボリュームデータが記憶されている場合には、ワークステーション１３０は、ボリュームデータから高精細な２次元画像を再レンダリングして表示させる。
【０１０１】
一方、図１３に示す操作画面において、複数枚の画像で表示されたサムネイルアイコンが表示領域にドラッグ＆ドロップされることで表示された立体視画像を平面視画像に切替える場合には、表示制御部１３５３は、記憶部１３４によって記憶された視差画像群を２次元画像用に表示させる。例えば、表示制御部１３５３は、記憶部１３４によって記憶された９視差画像のうちの１枚を９つの画素すべてに表示させる。或いは、表示制御部１３５３は、記憶部１３４によって記憶された９視差画像のうちの１枚を９画素分の大きさに拡大し、拡大した画像を９つに分割して、９つの画素それぞれに表示させる。このようにすることで、表示領域に表示される平面視画像を高精細にすることが可能である。
【０１０２】
ここで、操作者が複数枚の画像で表示されたサムネイルアイコンが表示領域にドラッグ＆ドロップすることで表示された立体視画像上で右クリックした場合には、記憶部１３４によって記憶された視差画像群の断面と「３Ｄ」のみが選択可能となる。例えば、図１４に示す選択項目において、「２Ｄ」の「Ａｘｉａｌ」及び「３Ｄ」のみが選択可能となる。一例を挙げると、表示制御部１３５３は、「Ａｘｉａｌ」及び「３Ｄ」を選択可能な項目として黒色の文字で表示し、「Ｓａｇｉ」及び「Ｃｏｌ」を選択不可能な項目として灰色の文字で表示する。
【０１０３】
なお、操作者が平面的に表示されたサムネイルアイコンをドラッグ＆ドロップすることで表示された平面視画像上で右クリックした場合には、記憶部１３４によって記憶された２次元画像の断面のみが選択可能となる。例えば、図１４に示す選択項目において、「２Ｄ」の「Ａｘｉａｌ」のみが選択可能となる。すなわち、選択項目において、他の断面の画像又は立体視画像への切替えが実行できないことが示されることとなる。
【０１０４】
また、上記したように、立体視画像から平面視画像へ切替えられた場合に、再度、立体視画像に戻すことも可能である。すなわち、操作者が平面視画像上で右クリックすることで、再度選択項目を表示させ、「３Ｄ」を選択することで、立体視画像を再表示させることが可能である。かかる場合には、切替え制御部１３５２は、表示領域を立体視用に切替えるように切替え部１３２１を制御する。
【０１０５】
また、上記した例では、ドラッグ＆ドロップされたサムネイルアイコンの医用画像データに基づいて表示領域Ａ〜Ｃを立体視用又は平面視用に切替える場合について説明した。しかしながら、表示領域Ａ〜Ｃを予め立体視用又は平面視用に設定することも可能である。例えば、図１３に示す表示領域Ａを立体視用表示領域、表示領域Ｂを平面視用表示領域として予め設定することが可能である。かかる場合に、立体的に表示されたサムネイルアイコン又は複数枚の画像で表示されたサムネイルアイコンが、平面視用の表示領域Ｂにドラッグ＆ドロップされると、表示制御部１３５３は、平面視用の２次元画像を表示領域Ｂに表示させる。
【０１０６】
次に、図１５を用いて、第２の実施形態に係るワークステーション１３０の処理について説明する。図１５は、第２の実施形態に係るワークステーション１３０による処理の手順を示すフローチャートである。なお、図１５においては、操作画面にサムネイルアイコンを表示した後の処理について示す。図１５に示すように、第２の実施形態に係るワークステーション１３０においては、サムネイルアイコンがドラッグ＆ドロップされると（ステップＳ２０１肯定）、切替え制御部１３５２は、サムネイルアイコンに対応する医用画像データが立体視表示が可能であるか否かを判定する（ステップＳ２０２）。
【０１０７】
ここで、サムネイルアイコンに対応する医用画像データが立体視表示が可能である場合には（ステップＳ２０２肯定）、切替え制御部１３５２は、表示領域を立体視用に切替えるように切替え部１３２１を制御する（ステップＳ２０３）。一方、サムネイルアイコンに対応する医用画像データが立体視表示が可能ではない場合には（ステップＳ２０２否定）、切替え制御部１３５２は、表示領域を平面視用に切替えるように切替え部１３２１を制御する（ステップＳ２０５）。
【０１０８】
そして、表示制御部１３５３は、切替え部１３２１によって切替えられた表示領域に立体視画像又は平面視画像を表示させる。続いて、切替え制御部１３５２は、操作画面を介して表示する画像の切替えを受付けたか否かを判定する（ステップＳ２０６）。ここで、表示する画像の切替えを受付けた場合には（ステップＳ２０６肯定）、切替え制御部１３５２は、立体視画像から平面視画像への切替えか否かを判定する（ステップＳ２０７）。
【０１０９】
ここで、立体視画像から平面視画像への切替えである場合には（ステップＳ２０７肯定）、切替え制御部１３５２は、表示画面を平面視用に切替えるように切替え部１３２１を制御する（ステップＳ２０８）。そして、表示制御部１３５３は、記憶部１３４によって記憶されたデータがボリュームデータであるか否かを判定する（ステップＳ２０９）。
【０１１０】
ここで、記憶されたデータがボリュームデータである場合には（ステップＳ２０９肯定）、レンダリング処理部１３６がボリュームデータから選択された断面の高精細な２次元画像を再レンダリングし、表示制御部１３５３が再レンダリングされた平面視画像を平面視用に切替えられた表示領域に表示させる（ステップＳ２１０）。一方、記憶されたデータがボリュームデータではない場合には（ステップＳ２０９否定）、表示制御部１３５３は、視差画像郡のうちの１枚を平面視用に切替えられた表示領域に表示させる（ステップＳ２１１）。例えば、表示制御部１３５３は、視差画像群のうちの１枚を９つの画素すべてに表示させる、或いは、視差画像群のうちの１枚を９つの画素の大きさに拡大し、拡大した画像を９つに分割して、９つの画素それぞれに表示させる。
【０１１１】
一方、ステップＳ２０７において、立体視画像から平面視画像への切替えではない場合には（ステップＳ２０７否定）、切替え制御部１３５２は、切替えを受付けた平面視画像のデータが立体視可能なデータであるか否かを判定する（ステップＳ２１２）。ここで、立体視可能なデータである場合には（ステップＳ２１２肯定）、切替え制御部１３５２は、表示領域を立体視用に切替えるように切替え部１３２１を制御する（ステップＳ２１３）。そして、表示制御部１３５３は、切替え部１３２１によって立体視用に切替えられた表示領域に立体視画像を表示させる（ステップＳ２１４）。
【０１１２】
そして、表示する画像の切替えを受け付けない場合（ステップＳ２０６否定）、平面視画像から立体視画像への切替えに際してデータが立体視可能なデータではない場合（ステップＳ２１２否定）、平面視画像又は立体視画像を表示させた（ステップＳ２１０、ステップＳ２１１及びステップＳ２１４）後、表示制御部１３５３は、画像の表示を終了させるための終了操作を受付けたか否かを判定する（ステップＳ２１５）。
【０１１３】
ここで、終了操作を受付けていない場合には（ステップＳ２１５否定）、表示制御部１３５３は、ステップＳ２０５に戻って、表示領域に立体視画像又は平面視画像を継続して表示させる。一方、終了操作を受付けた場合には（ステップＳ２１５肯定）、第２の実施形態に係るワークステーション１３０は、処理を終了する。
【０１１４】
上記したように、第２の実施形態によれば、表示制御部１３５３は、画像を表示するための表示領域と、表示情報付与部１３５１によって付与された情報が示された画像ごとのサムネイルアイコンとを含む操作画面を表示部１３２に表示させる。そして、切替え制御部１３５２は、サムネイルアイコンを用いて表示領域に表示させる画像が選択された場合に、選択された画像に付与された情報に基づいて、当該表示領域を立体視用又は平面視用に切替えるように制御する。従って、第２の実施形態に係るワークステーション１３０は、操作者が利用しやすい操作画面を提供することを可能にする。
【０１１５】
また、第２の実施形態によれば、切替え制御部１３５２は、操作画面において、表示領域に表示された立体視用の画像から平面視用の画像への切替え処理、及び、平面視用の画像から立体視用の画像への切替え処理を受付け、受付けた処理に応じて当該表示領域を平面視用又は立体視用に切替えるように制御する。そして、レンダリング処理部１３６及び表示制御部１３５３は、切替え制御部１３５２によって受付けられた処理が立体視用の画像から平面視用の画像への切替え処理であった場合に、高精細な平面視用の画像を生成する。そして、表示制御部１３５３は、当該画像を表示領域に表示させる。従って、第２の実施形態に係るワークステーション１３０は、操作者に対して観察しやすい平面視画像を提供することを可能にする。
【０１１６】
（第３の実施形態）
さて、これまで第１及び第２の実施形態について説明したが、上記した第１及び第２の実施形態以外にも、種々の異なる形態にて実施されてよいものである。
【０１１７】
上記実施形態においては、画像データに情報を付与し、付与した情報を基づいて、表示部１３２を平面視用又は立体視用に切替える場合について説明した。しかしながら、開示の技術はこれに限定されるものではなく、例えば、画像データに付与された既存の情報に基づいて、表示部１３２を平面視用又は立体視用に切替える場合であってもよい。例えば、ＤＩＣＯＭのタグの付帯情報に基づいて表示部１３２を平面視用又は立体視用に切替える場合であってもよい。一例を挙げると、付帯情報としてボリュームデータである旨の情報があった場合には、切替え部１３５２は、表示部１３２を立体視用に切替える。
【０１１８】
上記実施形態においては、ワークステーション１３０が、ボリュームデータから立体視画像及び平面画像を生成し、生成した画像を表示する場合について説明した。しかしながら、開示の技術がこれに限定されるものではなく、例えば、医用画像診断装置１１０がボリュームデータから立体視画像及び平面画像を生成し、生成した画像を表示する場合であってもよい。また、医用画像診断装置１１０又はワークステーション１３０がボリュームデータから立体視画像及び平面画像を生成し、端末装置１４０が、画像を表示する場合であってもよい。かかる場合には、医用画像診断装置１１０又はワークステーション１３０によって表示情報が付与された後、画像保管装置１２０に格納され、端末装置１４０は、画像保管装置１２０から読み出した画像データに付与された表示情報に基づいて立体視画像又は平面画像を表示する。
【０１１９】
また、上記実施形態においては、端末装置１４０は、画像保管装置１２０から取得した医用画像等を表示等するものとして説明した。しかしながら、開示の技術はこれに限定されるものではなく、例えば、端末装置１４０は、医用画像診断装置１１０又はワークステーション１３０に直接接続される場合であってもよい。
【０１２０】
また、上記実施形態においては、ワークステーション１３０は、画像保管装置１２０からボリュームデータを取得し、このボリュームデータから立体視画像及び平面画像を生成する場合について説明した。しかしながら、開示の技術はこれに限定されるものではなく、例えば、ワークステーション１３０は、医用画像診断装置１１０からボリュームデータを取得し、このボリュームデータから立体視画像及び平面画像を生成する場合であってもよい。
【０１２１】
また、上記実施形態においては、液晶材料を用いて各画素から出力された光の偏光方向を変えることにより、表示部１３２を立体視用又は平面視用に切り替える場合について説明した。しかしながら、開示の技術はこれに限定されるものではなく、任意の方法により表示部１３２を立体視用又は平面視用に切り替える場合であってもよい。以下では、第１の実施形態にて説明した方法とは異なる方法で表示部１３２を立体視用又は平面視用に切り替える場合について説明する。
【０１２２】
図１６は、第３の実施形態に係る切替え部１３２１の構成の一例を説明するための図である。例えば、第３の実施形態に係る切替え部１３２１においては、レンチキュラーレンズ層により与えられる光の指向性を増減させるために、レンチキュラーレンズ層３３１が、図１６に示すように、ある屈折率を持った液体を封入した複数のセルそれぞれが電極３３２に挟まれて形成される。そして、表示の対象となる画像データに付与された表示情報が平面視用であった場合には、切替え部１３２１は、切替え制御部１３５２による制御のもと、図１６に示すように、電極３３２に対して電圧を印加し、レンチキュラーレンズ層をレンズ形状１１１から平面形状１１２に変化させる。すなわち、切替え部１３２１は、光の指向性を減少させた平面視用の表示部１３２に切替える。一方、表示の対象となる画像データに付与された表示情報が立体視用であった場合には、切替え部１３２１は、切替え制御部１３５２による制御のもと、図１６に示すように、電極３３２に対して放電を実行し、レンチキュラーレンズ層を平面形状１１２からレンズ形状１１１に変化させる。すなわち、切替え部１３２１は、光の指向性を増加させた立体視用の表示部１３２に切替える。
【０１２３】
また、上記実施形態においては、レンチキュラーレンズを挟む電極に対して印加、放電を行うことで、表示部１３２を立体視用と平面視用に切替える場合について説明した。しかしながら、開示の技術はこれに限定されるものではなく、例えば、レンチキュラーレンズと同一の屈折率でレンズ形状と反対の形状を有するフィルタを重ねることで、表示部１３２を立体視用と平面視用に切替える場合であってもよい。
【０１２４】
また、上記実施形態においては、平面視用又は立体視用の切り替え制御に液晶を用いる場合について説明した。しかしながら、開示の技術はこれに限定されるものではなく、例えば、ナノレベルの線状構造方向を電子的に切り替えることが可能なものであれば、どのようなものが用いられてもよい。
【０１２５】
以上説明したとおり、実施形態によれば、本実施形態の画像表示システム、装置、方法及び医用画像診断装置は、立体視可能な３次元の画像と、２次元の画像とを状況に応じて表示することを可能にする。
【０１２６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１２７】
１１０  医用画像診断装置
１２０  画像保管装置
１３０  ワークステーション
１３２  表示部
１３２１  切替え部
１３５  制御部
１３５１  表示情報付与部
１３５２  切替え制御部
１３５３  表示制御部
１３５４  選択領域受付け部
１４０  端末装置
【図１】
0005832990.tif 000002
【図２】
0005832990.tif 000003
【図３】
0005832990.tif 000004
【図４】
0005832990.tif 000005
【図５】
0005832990.tif 000006
【図６】
0005832990.tif 000007
【図７】
0005832990.tif 000008
【図８】
0005832990.tif 000009
【図９】
0005832990.tif 000010
【図１０】
0005832990.tif 000011
【図１１】
0005832990.tif 000012
【図１２】
0005832990.tif 000013
【図１３】
0005832990.tif 000014
【図１４】
0005832990.tif 000015
【図１５】
0005832990.tif 000016
【図１６】
0005832990.tif 000017